(57)【要約】【課題】前面パネルを本体前面部のコンロ横幅方向の全体に亘る状態に形成する場合において、前面パネルの製造コストの低下を図るようにしながらも、コンロ本体の前面側箇所の外観を美麗な状態にできるガスコンロを提供する。【解決手段】コンロ本体２の前部側を形成する本体前面部２Ａを覆う前面パネル５が、本体前面部２Ａのコンロ横幅方向の全幅に亘る状態に形成され、前面パネル５の下端側におけるコンロ横幅方向の複数箇所に、本体前面部２Ａの係合部４５に対して上方への移動を阻止される状態で係合する被係合部４６が設けられ、前面パネル５の上端部におけるコンロ横幅方向の複数箇所に、コンロ本体２の上部に装着される天板３に設けた操作部Ｈにて押圧操作されることによって、前面パネル５の上端部を上方に付勢する上方付勢部Ｑが設けられている。【選択図】図１２
2014240736.tif 000002
【特許請求の範囲】
【請求項１】
コンロ本体の前部側を形成する本体前面部を覆う状態で前面パネルが設けられたガスコンロであって、
前記前面パネルが、前記本体前面部のコンロ横幅方向の全幅に亘る状態に形成され、
前記前面パネルの下端側におけるコンロ横幅方向の複数箇所に、前記本体前面部の係合部に対して上方への移動を阻止される状態で係合する被係合部が設けられ、
前記前面パネルの上端部におけるコンロ横幅方向の複数箇所に、前記コンロ本体の上部に装着される天板に設けた操作部にて押圧操作されることによって、前記前面パネルの上端部を上方に付勢する上方付勢部が設けられているガスコンロ。
【請求項２】
前記上方付勢部が、前記操作部にて後方側に押圧操作される被操作部と、その被操作部よりも後方側でかつ下方側に位置し且つ後方側及び下方側の移動が前記本体前面部との接当により規制された支点形成部とを備えて、前記操作部にて後方側に押圧操作された前記被操作部が前記支点形成部を中心として上方側へ移動することにより、前記前面パネルの上端部を上方に付勢するように構成されている請求項１記載のガスコンロ。
【請求項３】
前記前面パネルの下端部及び上端部の夫々に、前記前面パネルを前記本体前面部に密着させた状態で下方側にスライドさせることにより、前記本体前面部に設けた係止部に対して、前方側及び下方側への移動を阻止された状態に係止される被係止部が設けられ、
前記被係合部が、適正係合姿勢から前後方向に弾性変形自在に形成されて、前記前面パネルを前記本体前面部に密着させた状態で下方側にスライドさせて、前記被係止部を前記係止部に係止させる際に、前記係合部との接当により前記適正係合姿勢から前後方向に弾性変形しながら前記係合部に係合するように構成されている請求項１又は２記載のガスコンロ。
【請求項４】
前記前面パネルの左右両端部に、後方側に伸びる後方延出部が設けられ、
前記前面パネルの左右両端部に位置する一対の前記後方延出部の夫々に、前記被係止部を前記係止部に係止させるために、前記前面パネルを前記本体前面部に密着させた状態で下方側にスライドさせることにより、前記コンロ本体に設けた本体側係止部に対して、前方側及び下方側への移動を阻止された状態に係止される端部側被係止部が設けられている請求項３記載のガスコンロ。
【請求項５】
前記前面パネルの左右両横側部の夫々に、コンロ操作部を挿通するコンロ操作部用開口が形成され、
前記コンロ操作部を装着する樹脂製の左右一対の操作部装着枠が、前記前面パネルの背部に装着され、
前記被係合部が、前記操作部装着枠の下端側部分に一体形成されている請求項３又は４に記載のガスコンロ。
【請求項６】
前記操作部装着枠に、前記被係止部を前記係止部に係止させるために、前記前面パネルを前記本体前面部に密着させた状態で下方側にスライドさせることにより、前記本体前面部に設けた装着枠係止部に対して、前方側及び下方側への移動を阻止された状態に係止される装着枠被係止部が設けられている請求項５記載のガスコンロ。
【請求項７】
前記前面パネルの横幅方向の中央側部分に、前後方向に膨出する膨出部が、横幅方向に伸びる状態で形成されている請求項５又は６記載のガスコンロ。
【請求項８】
前記膨出部が、前方側に膨出する状態で形成されている請求項７記載のガスコンロ。
【発明の詳細な説明】
【技術分野】
【０００１】
本発明は、コンロ本体の前部側を形成する本体前面部を覆う状態で前面パネルが設けられたガスコンロに関する。
【背景技術】
【０００２】
上記ガスコンロは、前面パネルによって、コンロ本体の前部側を形成する本体前面部を覆うことによって、コンロ本体の前面側箇所の外観を美麗にすることができるようにしたものである。
つまり、従来一般に、コンロ本体は、金属製の材料（例えば、鋼板）によって、平面視形状が矩形状の箱型に形成されて、その内部には、例えば、コンロバーナやそのコンロバーナに対する燃料供給を制御する器具栓を収納する等、燃焼用機器類が収納されることになる。
そして、コンロ本体の前部側には、点消火用操作具等のコンロ操作部が配置されることになり、また、コンロ本体の上部には、天板が装着されることになる。
【０００３】
このように、コンロ本体は、内部に燃焼用機器類を収納する枠体として機能するものであり、その外周面は、錆止めの処理が施される程度であるが、コンロ本体の前部側を形成する本体前面部を、外面が美麗となるように形成された前面パネルにて覆うことにより、コンロ操作部が配置されることになるコンロ本体の前面側箇所の外観を、美麗な状態にできるのである（例えば、特許文献１参照）。
【０００４】
特許文献１に示されるガスコンロは、コンロ本体のコンロ横幅方向の中央箇所に、グリルが備えられるものであり、分割形成された左右一対の前面パネルが、グリルの両横側に設けられている。
ちなみに、前面パネルは、一般に、金属製の材料（例えば、鋼板）の表面を表面処理して、外面が美麗な状態となるように形成されることが多い。
また、特許文献１のガスコンロは、システムキッチンのカウンタートップに組付けられるビルトイン型のガスコンロであるが、ガスコンロとしては、コンロ台等に載置される形式の卓上型のガスコンロもある（例えば、特許文献２（図２）参照）。
【先行技術文献】
【特許文献】
【０００５】
【特許文献１】特開２０１０−１９６９５８号公報
【特許文献２】特開２０１２−４２１５７号公報
【発明の概要】
【発明が解決しようとする課題】
【０００６】
ガスコンロにおいては、グリルを装備しない形態が望まれる場合がある。
グリルを装備しない形態のガスコンロにおいては、コンロ本体の前部側を形成する本体前面部の全体を、前面パネルにて覆うことになり、その場合、前面パネルが、本体前面部のコンロ横幅方向の全体に亘る状態に形成されることになる。
【０００７】
このように、前面パネルを本体前面部のコンロ横幅方向の全体に亘る状態に形成する場合には、前面パネルがコンロ横幅方向の長さが長い部材となり、前面パネルにゆがみを生じて、コンロ本体の前面側箇所の外観を美麗な状態にできないものとなる虞がある。
【０００８】
すなわち、前面パネルは、製造コストの低下のために、一般に、厚さが薄くなるように形成されることになるが、その結果、前面パネルは、コンロ横幅方向の長さが長くなると、ゆがみを生じ易いものとなる。
つまり、前面パネルの厚さを薄くすると、材料費が低減し、また、プレス加工等の加工が行い易くなって生産性が向上することにより、前面パネルの製造コストの低下を図ることができるのであるが、厚さが薄い前面パネルは、ゆがみが生じ易いものとなる。
尚、前面パネルの後面に、補強材等の別部材を付設して、前面パネルの保形強度を上昇させることが考えられるが、この場合には、別部材を設けることにより、製造コストが高くなるため、実用できないものとなる。
【０００９】
本発明は、上記実情に鑑みて為されたものであって、その目的は、前面パネルを本体前面部のコンロ横幅方向の全体に亘る状態に形成する場合において、前面パネルの製造コストの低下を図るようにしながらも、コンロ本体の前面側箇所の外観を美麗な状態にできるガスコンロを提供する点にある。
【課題を解決するための手段】
【００１０】
本発明のガスコンロは、コンロ本体の前部側を形成する本体前面部を覆う状態で前面パネルが設けられたものであって、その第１特徴構成は、
前記前面パネルが、前記本体前面部のコンロ横幅方向の全幅に亘る状態に形成され、
前記前面パネルの下端側におけるコンロ横幅方向の複数箇所に、前記本体前面部の係合部に対して上方への移動を阻止される状態で係合する被係合部が設けられ、
前記前面パネルの上端部におけるコンロ横幅方向の複数箇所に、前記コンロ本体の上部に装着される天板に設けた操作部にて押圧操作されることによって、前記前面パネルの上端部を上方に付勢する上方付勢部が設けられている点を特徴とする。
【００１１】
すなわち、前面パネルが、コンロ本体における本体前面部のコンロ横幅方向の全幅に亘る状態に形成されて、本体前面部の全体を覆うことになるため、グリルを装備しない形態のガスコンロの場合において、コンロ本体の前面側箇所の外観を美麗な状態にすることができるものとなる。
【００１２】
そして、前面パネルの下端側におけるコンロ横幅方向の複数箇所に設けた被係合部を、本体前面部の係合部に対して上方への移動を阻止される状態で係合させた状態で、コンロ本体の上部に天板を装着すると、前面パネルの上端部におけるコンロ横幅方向の複数箇所に設けた上方付勢部が、天板に設けた操作部にて押圧操作されることによって、前面パネルの上端部を上方に付勢することになり、その結果、前面パネルは上下方向に引っ張られた状態となる。
【００１３】
上下方向に引っ張られた状態となった前面パネルは、その肉厚が薄くても、保形強度の増加によりゆがみ難くなるのであり、その結果、コンロ本体の前面側箇所の外観が美麗となる状態を、適切に維持できるものとなる。
つまり、前面パネルの肉厚を薄くして、製造コストの低下を図るようにしても、前面パネルのゆがみを抑制して、コンロ本体の前面側箇所の外観が美麗となる状態を、適切に維持できるのである。
【００１４】
ちなみに、コンロ本体の上部に装着される天板を有効利用して、上方付勢部を、コンロ本体の上部に装着される天板に設けた操作部にて押圧操作するものであるから、換言すれば、コンロ本体の上部に天板を装着することによって上方付勢部を押圧操作するものであるから、上方付勢部を押圧操作するための特別な作業工程を必要としないため、前面パネルの製造コストの低下を図るようにするために、ガスコンロ全体の製造コストが上昇する不都合を回避できる。
【００１５】
要するに、本発明の第１特徴構成によれば、前面パネルを本体前面部のコンロ横幅方向の全体に亘る状態に形成する場合において、前面パネルの製造コストの低下を図るようにしながらも、コンロ本体の前面側箇所の外観を美麗な状態にできるガスコンロを提供できる。
【００１６】
本発明のガスコンロの第２特徴構成は、上記第１特徴構成に加えて、
前記上方付勢部が、前記操作部にて後方側に押圧操作される被操作部と、その被操作部よりも後方側でかつ下方側に位置し且つ後方側及び下方側の移動が前記本体前面部との接当により規制された支点形成部とを備えて、前記操作部にて後方側に押圧操作された前記被操作部が前記支点形成部を中心として上方側へ移動することにより、前記前面パネルの上端部を上方に付勢するように構成されている点を特徴とする。
【００１７】
すなわち、前面パネルの下端側の被係合部を、本体前面部の係合部に対して上方への移動を阻止される状態で係合させた状態で、コンロ本体の上部に天板を装着して、前面パネルの上端部に設けた上方付勢部における被操作部を、天板に設けた操作部にて後方側に押圧操作すると、被操作部が上方付勢部における支点形成部を中心として上方側に移動することになり、この被操作部の上方側への移動により、前面パネルの上端部が上方に付勢されることになる。
【００１８】
つまり、天板に設けた操作部にて後方側に押圧操作される被操作部が支点形成部を中心として上方側に移動するモーメントを利用して、前面パネルの上端部を上方に付勢するものである。その結果、モーメントを用いた大きな力で、前面パネルの上端部を上方に付勢することができるため、前面パネルのゆがみを適切に抑制できるものとなる。
【００１９】
要するに、本発明の第２特徴構成によれば、上記第１特徴構成による作用効果に加えて、モーメントを利用した大きな力で、前面パネルの上端部を上方に付勢して、前面パネルのゆがみを適切に抑制できるガスコンロを提供できる。
【００２０】
本発明のガスコンロの第３特徴構成は、上記第１又は第２特徴構成に加えて、
前記前面パネルの下端部及び上端部の夫々に、前記前面パネルを前記本体前面部に密着させた状態で下方側にスライドさせることにより、前記本体前面部に設けた係止部に対して、前方側及び下方側への移動を阻止された状態に係止される被係止部が設けられ、
前記被係合部が、適正係合姿勢から前後方向に弾性変形自在に形成されて、前記前面パネルを前記本体前面部に密着させた状態で下方側にスライドさせて、前記被係止部を前記係止部に係止させる際に、前記係合部との接当により前記適正係合姿勢から前後方向に弾性変形しながら前記係合部に係合するように構成されている点を特徴とする。
【００２１】
すなわち、前面パネルの下端部及び上端部の夫々に設けた被係止部が、前面パネルを本体前面部に密着させた状態で下方側にスライドさせることにより、本体前面部に設けた係止部に対して、前方側及び下方側への移動を阻止された状態に係止されることになる。
つまり、前面パネルの下端部及び上端部の夫々に設けた被係止部を本体前面部に設けた係止部に係止させることによって、前面パネルが本体前面部に装着されることになる。
【００２２】
そして、前面パネルを本体前面部に密着させた状態で下方側にスライドさせて、被係止部を係止部に係止させる際に、前面パネルの下端側に設ける被係合部が、係合部との接当により適正係合姿勢から前後方向に弾性変形しながら、本体前面部に設けた係合部に係合することになる。
つまり、前面パネルの被係止部を本体前面部に設けた係止部に係止させること、及び、前面パネルの下端側に設ける被係合部を本体前面部に設けた係合部に係合させることを、前面パネルを本体前面部に密着させた状態で下方側にスライドさせることによって、一挙に行うことができるのであり、前面パネルの装着性の向上を図ることができる。
【００２３】
要するに、本発明の第３特徴構成によれば、上記第１又は第２特徴構成による作用効果に加えて、前面パネルの装着性の向上を図ることができるガスコンロを提供できる。
【００２４】
本発明のガスコンロ用バーナの第４特徴構成は、上記第３特徴構成に加えて、
前記前面パネルの左右両端部に、後方側に伸びる後方延出部が設けられ、
前記前面パネルの左右両端部に位置する一対の前記後方延出部の夫々に、前記被係止部を前記係止部に係止させるために、前記前面パネルを前記本体前面部に密着させた状態で下方側にスライドさせることにより、前記コンロ本体に設けた本体側係止部に対して、前方側及び下方側への移動を阻止された状態に係止される端部側被係止部が設けられている点を特徴とする。
【００２５】
すなわち、前面パネルの左右両端部に、後方側に伸びる後方延出部が設けられているから、後方延出部によって、本体前面部を横外方側からも覆うことができるため、コンロ本体の前面側箇所を横外方側から見る場合の外観をも美麗な状態にすることができる。
【００２６】
そして、前面パネルを本体前面部に密着させた状態で下方側にスライドさせて、被係止部を係止部に係止させる際に、前面パネルの左右両端部に位置する一対の後方延出部の夫々に設けた端部側被係止部が、コンロ本体に設けた本体側係止部に対して、前方側及び下方側への移動を阻止された状態に係止されることになる。
【００２７】
つまり、端部側被係止部がコンロ本体の本体側係止部に係止されることによって、前面パネルの左右両端部に位置する一対の後方延出部のコンロ本体に対する姿勢を適正姿勢に維持させて、コンロ本体の前面側箇所を横外方側から見る場合の外観を美麗な状態に適切に維持することができる。
【００２８】
そして、端部側係止部をコンロ本体の本体側係止部に係止させることを、前面パネルを本体前面部に密着させた状態で下方側にスライドさせて、前面パネルの被係止部を本体前面部に設けた係止部に係止させる際に一挙に行うことができるため、前面パネルの装着性の低下を回避できる。
【００２９】
要するに、本発明の第４特徴構成によれば、上記第３特徴構成による作用効果に加えて、前面パネルの装着性の低下を回避する形態で、コンロ本体の前面側箇所を横外方側から見る場合の外観をも美麗な状態にすることができるガスコンロを提供できる。
【００３０】
本発明のガスコンロの第５特徴構成は、上記第３又は第４特徴構成に加えて、
前面パネルの左右両横側部の夫々に、コンロ操作部を挿通するコンロ操作部用開口が形成され、
前記コンロ操作部を装着する樹脂製の左右一対の操作部装着枠が、前記前面パネルの背部に装着され、
前記被係合部が、前記操作部装着枠の下端側部分に一体形成されている点を特徴とする。
【００３１】
すなわち、前面パネルの左右両横側部の夫々に、コンロ操作部を挿通するコンロ操作部用開口が形成され、コンロ操作部を装着する樹脂製の左右一対の操作部装着枠が、前面パネルの背部に装着される。
尚、コンロ操作部とは、例えば、コンロ本体の内部に装備した器具栓を操作する点消火具等、コンロ本体の内部に装備した燃焼用機器類を操作するものである。
【００３２】
このように、コンロ操作部を装着する樹脂製の左右一対の操作部装着枠が、前面パネルの背部に装着されているから、前面パネルをコンロ本体の本体前面部に装着する際に、左右一対の操作部装着枠をも装着できるため、操作部装着枠の組付性を向上できることになる。
【００３３】
そして、樹脂製の左右一対の操作部装着枠が前面パネルの背部に装着されていることを利用して、適正係合姿勢から前後方向に弾性変形自在な被係合部が、操作部装着枠の下端側部分に一体形成されているから、被係合部の製作の容易化を図ることができる。
【００３４】
つまり、樹脂製の操作部装着枠に一体形成された被係合部は、操作部装着枠を成型する際に、一挙に形成することができ、そして、操作部装着枠に一体形成された被係合部は、操作部装着枠を前面パネルに装着することによって、前面パネルに設けられることになるから、被係合部の製作の容易化を図ることができるのである。
ちなみに、樹脂製の操作部装着枠に一体形成された被係合部は、樹脂の弾性変形性を利用して弾性変形させることができるものとなる。
【００３５】
要するに、本発明の第５特徴構成によれば、上記第３又は第４特徴構成による作用効果に加えて、操作部装着枠の組付性を向上し、しかも、被係合部の製作の容易化を図ることができるガスコンロを提供できる。
【００３６】
本発明のガスコンロ用バーナの第６特徴構成は、上記第５特徴構成に加えて、
前記操作部装着枠に、前記被係止部を前記係止部に係止させるために、前記前面パネルを前記本体前面部に密着させた状態で下方側にスライドさせることにより、前記本体前面部に設けた装着枠係止部に対して、前方側及び下方側への移動を阻止された状態に係止される装着枠被係止部が設けられている点を特徴とする。
【００３７】
すなわち、前面パネルを本体前面部に密着させた状態で下方側にスライドさせて、前面パネルの下端部や上端部に設けた被係止部を、本体前面部に設けた係止部に係止させる際に、操作部装着枠に設けた装着枠被係止部が、本体前面部の装着枠係止部に対して、前方側及び下方側への移動を阻止された状態に係止されることになる。
【００３８】
このように、操作部装着枠に設けた装着枠被係止部を本体前面部の装着枠係止部に係止させることにより、前面パネルの操作部装着枠を装着する部分を、本体前面部に対して支持させることができるため、前面パネルを本体前面部に対して一層的確に装着することができる。
【００３９】
しかも、操作部装着枠に設けた装着枠被係止部を本体前面部の装着枠係止部に係止させることを、前面パネルを本体前面部に密着させた状態で下方側にスライドさせて、前面パネルの被係止部を本体前面部に設けた係止部に係止させる際に一挙に行うことができるため、前面パネルの装着性の低下を回避できる。
【００４０】
要するに、本発明の第６特徴構成によれば、上記第５特徴構成による作用効果に加えて、前面パネルの装着性の低下を回避する形態で、前面パネルを本体前面部に対して一層的確に装着することができるガスコンロを提供できる。
【００４１】
本発明のガスコンロの第７特徴構成は、上記第５又は第６特徴構成に加えて、
前記前面パネルの横幅方向の中央側部分に、前後方向に膨出する膨出部が、横幅方向に伸びる状態で形成されている点を特徴とする。
【００４２】
すなわち、前後方向に膨出する膨出部が、横幅方向に伸びる状態で、前面パネルの横幅方向の中央側部分に形成されているから、膨出部の補強作用によって、前面パネルが前後方向に撓むことを抑制できるものとなる。
このように、前面パネルが前後方向に撓むことを抑制できるため、前面パネルを本体前面部に装着する作業が行い易いものとなる。
【００４３】
しかも、前面パネルの横幅方向の中央側部分に位置する膨出部は、前面パネルの横幅方向の中央側部分に上下方向に伸びる力が作用したときに、その伸びを許容するために変形し易いものであって、コンロ横幅方向の複数箇所に位置する上方付勢部によって前面パネルの上端部が上方に付勢されても、前面パネルに応力が集中することを抑制できる。
【００４４】
説明を加えると、コンロ操作部用開口が形成されている前面パネルの両横側部は、上下方向に伸びる力が作用したときに、コンロ操作部用開口が形成されているために、上方に伸び易いものであるが、前面パネルにおける左右のコンロ操作部用開口の間に位置する中央側部分も、膨出部の存在によって、上下方向に伸びる力が作用したときに、その伸びを許容するように変形し易いものとなり、その結果、コンロ横幅方向の複数箇所に位置する上方付勢部によって前面パネルの上端部が上方に付勢されても、前面パネルに応力が集中することを抑制できるのである。
【００４５】
要するに、本発明の第７特徴構成によれば、上記第５又は第６特徴構成による作用効果に加えて、前面パネルを本体前面部対して装着する作業の作業性を向上し、しかも、コンロ横幅方向の複数箇所に位置する上方付勢部によって前面パネルの上端部が上方に付勢されても、前面パネルに応力が集中することを抑制できるガスコンロを提供できる。
【００４６】
本発明のガスコンロの第８特徴構成は、上記第７特徴構成に加えて、
前記膨出部が、前方側に膨出する状態で形成されている点を特徴とする。
【００４７】
すなわち、膨出部が、前方側に膨出する状態で形成されているから、膨出部の上部に埃等の異物が堆積し難く、また、膨出部の上部に異物が付着しても、その清掃を良好に行い易いため、前面パネルを美麗な状態に維持し易いものとなる。
【００４８】
つまり、膨出部が、後方側に膨出する状態で形成されていると、後方側に凹入する状態となる膨出部の内部に、埃等の異物が堆積し易いものとなり、また、膨出部が後方側に凹入する状態となっているために、膨出部の内部に堆積した異物を除去する清掃作業が行い難いものとなる。
【００４９】
これに対して、膨出部が前方側に膨出する状態で形成されているから、膨出部の上部に埃等の異物が堆積し難く、また、膨出部の上部に異物が付着しても、その異物を拭き取る等の清掃が良好に行い易いのであり、その結果、膨出部を設けるようにしながらも、前面パネルを美麗な状態に維持し易いものとなるのである。
【００５０】
要するに、本発明の第８特徴構成によれば、上記第７特徴構成による作用効果に加えて、前面パネルを美麗な状態に維持し易いガスコンロを提供できる。
【図面の簡単な説明】
【００５１】
【図１】ガスコンロの斜視図
【図２】ガスコンロの分解斜視図
【図３】天板を外した状態のガスコンロの平面図
【図４】前面パネルと操作部装着枠との分解状態の斜視図
【図５】コンロ本体と操作部装着枠との分解状態の斜視図
【図６】前面パネルを外した状態のガスコンロの正面図
【図７】前面パネルに操作部装着枠を装着した状態の横断底面図
【図８】本体前面部に前面パネルを装着した状態の横断底面図
【図９】ガスコンロの前面側部分の縦断側面図
【図１０】ガスコンロの前面側下方部分の縦断側面図
【図１１】ガスコンロの前面側上方部分の縦断側面図
【図１２】ガスコンロの前面側部分の縦断側面図
【図１３】ガスコンロの前面側下方部分の縦断側面図
【図１４】ガスコンロの前面側上方部分の縦断側面図
【図１５】本体前面部の正面図
【図１６】本体前面部の側面図
【図１７】前面パネルの底面図
【図１８】前面パネルの側面図
【図１９】左側の操作部装着枠の正面図
【図２０】左側の操作部装着枠の底面図
【図２１】左側の操作部装着枠の背面図
【図２２】左側の操作部装着枠の側面図
【発明を実施するための形態】
【００５２】
〔実施形態〕
本発明の実施形態を図面に基づいて説明する。
（ガスコンロの構成）
図１に示すように、左コンロバーナ１Ｌ及び右コンロバーナ１Ｒが、コンロ台等に載置されるコンロ本体２に装備され、コンロ本体２の上部に装着される天板３の上部には、左コンロバーナ１Ｌ及び右コンロバーナ１Ｒの夫々に対応して五徳４が装備されて、卓上型のガスコンロが構成されている。
尚、以下の説明において、左コンロバーナ１Ｌと右コンロバーナ１Ｒとを区別する必要がないときには、単に、コンロバーナ１と記載する。
【００５３】
図２及び図３に示すように、コンロ本体２は、上部が開口しかつ平面視形状が矩形状の箱状に構成され、そのコンロ本体２の前部側を形成する本体前面部２Ａが、前面パネル５にて覆われている。
前面パネル５は、本体前面部２Ａのコンロ横幅方向の全幅に亘る状態に形成されて、本体前面部２Ａの前面側部分を全体的に覆うように構成されている。
【００５４】
図２及び図４に示すように、前面パネル５の左右両横側部の夫々に、コンロ操作部６を挿通するコンロ操作部用開口７が形成され、左右一対のコンロ操作部６を装着する樹脂製の左右一対の操作部装着枠８が、前面パネル５の背部に装着されている（図７参照）。
左右のコンロ操作部６は、左コンロバーナ１Ｌに対応する左操作部６Ｌと、右コンロバーナ１Ｒに対応する右操作部６Ｒであり、左右の操作部装着枠８は、左操作部６Ｌを装着する左装着枠８Ｌと、右操作部６Ｒを装着する右装着枠８Ｒである。
尚、コンロ操作部６は、後述の如く、コンロバーナ１の点火及び消火を行う点消火操作具として機能することになる。
【００５５】
ちなみに、図２においては、天板３の上部に位置する五徳４をコンロバーナ１の上部に位置させた形態で、天板３を外した状態を例示するものであり、図３、図５及び図６も同様である。
ちなみに、天板３は、上方側から下方側に向けて移動させてコンロ本体２の上部に載置され、ビス等の固定手段にてコンロ本体２に固定される状態で装着されるものであり、そして、天板３には、コンロバーナ１を挿通するバーナ挿通孔３Ａが形成されている。
【００５６】
（本体前面部及び前面パネルの構成）
本体前面部２Ａは、図８、図１５及び図１６に示すように、前面部分２ｆ、前面部分２ｆの上縁から後方に伸びる上側部分２ｕ、前面部分２ｆの下縁から後方に伸びる下側部分２ｄ、及び、前面部分２ｆの左右の縁部から後方に伸びる左右の横側部分２ｓを備える形状であり、板材をプレス加工して形成されている。
【００５７】
そして、前面パネル５が、図４、図１７及び図１８に示すように、左右両端部に後方側に伸びる後方延出部５ｓを備える形状に、板材をプレス加工して形成されて、本体前面部２Ａの前面部分２ｆ及び左右の横側部分２ｓを覆うように構成されている。
ちなみに、本体前面部２Ａが、０．５ｍｍのＳＧＣＣ（溶融亜鉛めっき鋼板）を用いて構成され、前面パネル５が、０．４ｍｍのＴＦＳ（ティンフリースチール（電解クロム酸処理鋼板））を用いて構成されている。
【００５８】
図６及び図１５に示すように、本体前面部２Ａには、前面パネル５に装着された左右の操作部装着枠８を挿通させる左右一対の装着用開口９が形成されている。
すなわち、左右一対の操作部装着枠８が、図５、図２０及び図２２に示すように、矩形状の周縁部８ｅ、及び、周縁部８ｅの内方側において後方側に突出する内方部８ｎを備えるように構成されている。
そして、左右の操作部装着枠８が、周縁部８ｅを本体前面部２Ａと前面パネル５との間に位置させ、周縁部８ｅよりも内方部８ｎを本体前面部２Ａに形成した装着用開口９を挿通させた状態で設けられている（図８及び図２２参照）。
【００５９】
ちなみに、コンロ操作部６は、操作部装着枠８の前面よりも前方側に突出する状態で装備されている。
そして、操作部装着枠８の前面側におけるコンロ操作部６の左右両側箇所には、側面視形状がコンロ操作部６の形状と同形状の操作部保護部８ｈが、操作部装着枠８から前方側に突出する姿勢で形成されている。
【００６０】
図２、図８、図１５及び図１６に示すように、本体前面部２Ａにおける左右一対の操作部装着枠８の間に位置する箇所、つまり、本体前面部２Ａにおける左右の装着用開口９の間に位置する箇所には、前面パネル５を受止める前方膨出部Ｂが、上述したプレス加工の際に形成されている。
【００６１】
前方膨出部Ｂは、本体前面部２Ａの上下幅の７〜８割程度の大きさとなる平板状に形成されるものであって、正面から見た形状が矩形状となるように形成されている。
図８に示すように、左右一対の操作部装着枠８の周縁部８ｅの厚さと前方膨出部Ｂの膨出高さとが等しくなるように形成されている。
【００６２】
したがって、前方膨出部Ｂが前面パネル５を受止めることによって、前面パネル５を形成する材料の厚さが薄くても、前面パネル５のゆがみを抑制して、コンロ本体２における前面側箇所の外観を美麗な状態に維持できるように構成されている。
【００６３】
（コンロバーナの点消火構成）
図３及び図６に示すように、コンロ本体２の内部には、左コンロバーナ１Ｌ及び右コンロバーナ１Ｒの夫々に対応させて燃焼制御用の器具栓１１が設けられている。
そして、図５に示すように、一対の器具栓１１の夫々に装備したスライダ１１Ａが、本体前面部２Ａの装着用開口９に対応する位置に設けられて、コンロ操作部６にて操作されるように構成されている。
【００６４】
すなわち、図５に示すように、コンロ操作部６の上端側部分が操作部装着枠８に対してコンロ横幅方向に沿う回動軸芯Ｐ回りで回動自在に枢支されることによって、コンロ操作部６が操作部装着枠８に対して前後方向に揺動できるように構成されている。
そして、コンロ操作部６の前後揺動によって、器具栓１１のスライダ１１Ａを前後方向にスライド操作して、コンロバーナ１に対する点火及び消火を行うように構成されている。
【００６５】
つまり、コンロバーナ１の消火状態において、コンロ操作部６を後方側に押し込むと、スライダ１１Ａが後方側にスライド操作されて、コンロバーナ１が点火され、また、コンロバーナ１の燃焼状態において、コンロ操作部６を後方側に少し押し込むと、スライダ１１Ａが後方側に移動したのち前方側に復帰移動して、コンロバーナ１が消火状態になるように構成されている。
【００６６】
このように、コンロ操作部６は、コンロバーナ１に対する点消火操作具として機能するものであり、器具栓１１は、コンロ操作部６にて操作されて、コンロバーナ１の燃焼を制御することになる。
尚、器具栓１１の詳細な構成は周知であるので、本実施形態においては、その詳細な説明は省略する。
【００６７】
ちなみに、図５及び図６に示すように、器具栓１１には、左右揺動によって、コンロバーナ１の火力を調節する火力調節レバー１１Ｂが装備されている。
火力調節レバー１１Ｂは、本体前面部２Ａの装着用開口９を通してコンロ前方側に延出したのち、操作部装着枠８に形成されたレバー挿通用開口１２（図５参照）、及び、前面パネル５に形成したレバー挿通用長孔１３（図４参照）を通して、前面パネル５の前方側箇所に突出するように構成されている（図１参照）。
【００６８】
（前面パネルの補強構成）
図４及び図１８に示すように、前面パネル５の横幅方向の中央側部分に、前後方向に膨出する膨出部Ｆが、コンロ横幅方向に伸びる状態で形成されて、前面パネル５を補強するように構成されている。
本実施形態においては、膨出部Ｆが、前方側に膨出する状態で形成され、また、レバー挿通用長孔１３と並ぶ状態で形成されている。
【００６９】
したがって、前面パネル５の横幅方向の中央側部分に膨出部Ｆを形成して、前面パネル５を補強することにより、前面パネル５を形成する材料の厚さが薄くても、前面パネル５のゆがみを抑制して、コンロ本体２における前面側箇所の外観を美麗な状態に維持できるように構成されている。
また、膨出部Ｆが前方側に膨出する状態で形成されているから、膨出部Ｆの上部に塵埃が付着堆積することが少なく、また、塵埃が堆積しても、拭き取り清掃が行い易いものである。
【００７０】
さらに、本実施形態においては、コンロ横幅方向に伸びる膨出部Ｆが、前面パネル５のレバー挿通用長孔１３と並ぶ状態で形成されているため、膨出部Ｆと左右のレバー挿通用長穴１３が、コンロ横幅方向に沿う直線を呈する状態となるため、コンロ本体２における前面側箇所の外観が、すっきりした美麗な状態となる。
【００７１】
ちなみに、図１及び図４に示すように、前面パネル５のレバー挿通用長孔１３は、コンロ操作部用開口７の上方に形成され、そして、前面パネル５におけるレバー挿通用長孔１３の上方側箇所には、調理用の各種情報を表示する調理用表示部１４が設けられている。
【００７２】
（操作部装着枠の構成）
操作部装着枠８は、上述の如く、矩形状の周縁部８ｅ、及び、周縁部８ｅの内方側において後方側に突出する内方部８ｎを備え、さらには、左右の操作部保護部８ｈを備える形態に構成されている。
また、操作部装着枠８には、図５に示すように、コンロ操作部６の後方揺動を阻止するロック状態とロック解除状態とに切換えるロック操作具１５が、コンロ横幅方向に移動自在に装備されている。
このロック操作具１５は、前面パネル５に形成した操作具挿通用開口１６（図４参照）を通してコンロ前方側に突出するように構成されている（図１参照）。
【００７３】
また、図１及び図２に示すように、左操作部６Ｌの左側箇所に、電池収納ボックス１７が引出し自在に設けられており、左右の操作部装着枠８のうちの左装着枠８Ｌには、図５及び図１９〜図２２に示すように、電池収納ボックス１７を出退自在に支持するボックス支持部１８が設けられている。
【００７４】
（前面パネルの装着構成）
図４及び図１５〜図１８に示すように、前面パネル５の下端部及び上端部の夫々に、前面パネル５を本体前面部２Ａに密着させた状態で下方側にスライドさせることにより、本体前面部２Ａに設けた係止部２０に対して、前方側及び下方側への移動を阻止された状態に係止される被係止部２１が設けられている。
【００７５】
被係止部２１のうちの前面パネル５の下端部に設ける下端側被係止部２１ｄは、前面パネル５の下端縁に、コンロ横幅方向に沿って３個形成されている。
各下端側被係止部２１ｄは、図１７に示すように、前面パネル５から後方側に突出する舌片状の後方突出片２２に係合用孔２３を形成する形態に構成されている。
【００７６】
被係止部２１のうちの前面パネル５の上端部に設ける上端側被係止部２１ｕは、前面パネル５の上端縁に、コンロ横幅方向に沿って２個形成されている。
各上端側被係止部２１ｕは、図４に示すように、前面パネル５から後方側に突出する舌片２４に係合孔２５を形成する形態に構成されている。
【００７７】
係止部２０のうちの下端側被係止部２１ｄを係止する下端側係止部２０ｄは、図１０に示すように、本体前面部２Ａの下側部分２ｄの一部を、後方側ほど上方に位置する山形状に突出させた山形状突出部２６を備える形態に構成されている。
そして、図１０及び図１５に示すように、本体前面部２Ａの前面部分２ｆにおける下端側係止部２０ｄの直前方に位置する箇所には、下端側被係止部２１ｄを挿通する被係止部挿通孔２７が形成されている。
【００７８】
係止部２０のうちの上端側被係止部２１ｕを係止する上端側係止部２０ｕは、図１１及び図１５に示すように、本体前面部２Ａの前面部分２ｆの一部を逆Ｕ字状に切欠いて切欠孔２８を形成することにより、その切欠孔２８の内部に上向きに突出する状態に形成される柱状突出部２９を備える形態に構成されている。
尚、柱状突出部２９とその下方に位置する前面部分２ｆとに亘る状態で、上下方向に伸びる補強用膨出部３０が形成されている。
【００７９】
したがって、下端側被係止部２１ｄを被係止部挿通孔２７に挿入し、かつ、上端側被係止部２１ｕを切欠孔２８に挿入しながら、前面パネル５を本体前面部２Ａに対して近づけるように移動させることにより、前面パネル５を本体前面部２Ａに密着させ、本体前面部２Ａに密着させた前面パネル５を下方側にスライドさせることにより、下端側被係止部２１ｄを下端側係止部２０ｄに係止させ、かつ、上端側被係止部２１ｕを上端側係止部２０ｕに係止させることができるように構成されている（図９参照）。
【００８０】
ちなみに、前面パネル５を本体前面部２Ａに対して密着する状態に装着するにあたり、先ず、下端側被係止部２１ｄを被係止部挿通孔２７に挿入し、次に、被係止部挿通孔２７に挿入された下端側被係止部２１ｄを中心に、前面パネル５を本体前面部２Ａに近づけるように揺動させながら、上端側被係止部２１ｕを切欠孔２８に挿入させるようにして、前面パネル５を本体前面部２Ａに対して密着させるようにしてもよい。
【００８１】
また、図４、図１７及び図１８に示すように、前面パネル５の左右両端部に位置する一対の後方延出部５ｓの夫々に、上述の如く、被係止部２１を係止部２０に係止させるために、前面パネル５を本体前面部２Ａに密着させた状態で下方側にスライドさせることにより、コンロ本体２に設けた本体側係止部３１（図５及び図６参照）に対して、前方側及び下方側への移動を阻止された状態に係止される端部側被係止部３２が設けられている。
【００８２】
端部側被係止部３２は、後方延出部５ｓの後端縁に、上下方向に並べて２つ設けられており、これらの端部側被係止部３２に対応して、本体側係止部３１が上下方向に並べて２つ設けられている。
そして、各端部側被係止部３２が、コンロ後方側に突出した後下方に屈曲する下向きの屈曲片３２Ａとして形成され、本体側係止部３１が、本体前面部２Ａの横外方に位置する装着壁面部２Ｔに形成したスリット孔３１Ａとして形成されている。
【００８３】
したがって、端部側被係止部３２を形成する屈曲片３２Ａをコンロ後方側に移動させて本体側係止部３１を形成するスリット孔３１Ａに挿入し、その後、端部側被係止部３２を下方側に移動させることにより、端部側被係止部３２を形成する屈曲片３２Ａが、スリット孔３１Ａの下方側の孔縁部に係止されるように構成されている。
【００８４】
ちなみに、前面パネル５を本体前面部２Ａに対して密着する状態に装着するにあたり、上述の如く、先ず、下端側被係止部２１ｄを被係止部挿通孔２７に挿入し、次に、被係止部挿通孔２７に挿入された下端側被係止部２１ｄを中心に、前面パネル５を本体前面部２Ａに近づけるように揺動させると、端部側被係止部３２を形成する上下の屈曲片３２Ａが本体側係止部３１を形成するスリット孔３１Ａに順次挿入したのち、続いて、上端側被係止部２１ｕが切欠孔２８に挿入するように構成されている。
【００８５】
（操作部装着枠の支持構成）
次に、操作部装着枠８の支持構成について説明するが、左装着枠８Ｌと右装着枠８Ｒとは同様な構成によって支持されるものであるため、以下、左装着枠８Ｌの支持構成を代表として説明して、右装着枠８Ｒの支持構成を示す図においては、左装着枠８Ｌの支持構成を説明する符号と同じ符号を付して、その説明を省略する。
【００８６】
図４、図７及び図２２に示すように、左右一対の装着枠支持片３５が、前面パネル５のコンロ操作部用開口７における左右の口縁からコンロ後方側に伸びる状態で設けられ、左右の装着枠支持片３５には、四角形状の支持孔３６が形成されている。
ちなみに、左右の装着枠支持片３５は、横外方側に弾性変位できるように構成されている。
【００８７】
左装着枠８Ｌには、左右の装着枠支持片３５を挿通する支持片挿通孔３７、及び、支持孔３６に係合する係合突起３８が設けられている（図１９、図２１参照）。
そして、左右の装着枠支持片３５を支持片挿通孔３７に挿通させながら、前面パネル５と左装着枠８Ｌとを接近移動させて、前面パネル５の背面に左装着枠８Ｌを密着させると、左装着枠８Ｌの係合突起３８が装着枠支持片３５の支持孔３６に係合することによって、左装着枠８Ｌが、前面パネル５の背面に装着されるように構成されている。
【００８８】
また、図２０〜図２２に示すように、左装着枠８Ｌには、上述の如く、被係止部２１を係止部２０に係止させるために、前面パネル５を本体前面部２Ａに密着させた状態で下方側にスライドさせることにより、本体前面部２Ａの装着枠係止部４０（図６及び図１５参照）に対して、前方側及び下方側への移動を阻止された状態に係止される装着枠被係止部４１が設けられている。
【００８９】
装着枠被係止部４１は、左装着枠８Ｌの背部に、コンロ横幅方向に並べて２つ設けられており、これらの装着枠被係止部４１に対応して、装着枠係止部４０がコンロ横幅方向に並べて２つ設けられている。
そして、各装着枠被係止部４１が、コンロ後方側に突出した後下方に屈曲する下向きの屈曲体４１Ａとして形成され、装着枠係止部４０が、本体前面部２Ａに形成した縦長の装着孔４０Ａとして形成されている。
【００９０】
したがって、装着枠被係止部４１を形成する屈曲体４１Ａをコンロ後方側に移動させて装着枠係止部４０を形成する縦長の装着孔４０Ａに挿入し、その後、装着枠被係止部４１を下方側に移動させることにより、装着枠被係止部４１を形成する屈曲体４１Ａが、装着孔４０Ａの下方側の孔縁部に係止されるように構成されている（図２２参照）。
【００９１】
ちなみに、前面パネル５を本体前面部２Ａに対して密着する状態に装着するにあたり、上述の如く、先ず、下端側被係止部２１ｄを被係止部挿通孔２７に挿入し、次に、被係止部挿通孔２７に挿入された下端側被係止部２１ｄを中心に、前面パネル５を本体前面部２Ａに近づけるように揺動させると、端部側被係止部３２を形成する上下の屈曲片３２Ａの下方側の屈曲片３２Ａが本体側係止部３１を形成するスリット孔３１Ａに挿入したのち、次に、装着枠被係止部４１を形成する屈曲体４１Ａが装着枠係止部４０を形成する縦長の装着孔４０Ａに挿入することになる。
【００９２】
引き続いて、被係止部挿通孔２７に挿入された下端側被係止部２１ｄを中心に、前面パネル５を本体前面部２Ａに近づけるように揺動させると、端部側被係止部３２を形成する上下の屈曲片３２Ａの上方側の屈曲片３２Ａが本体側係止部３１を形成するスリット孔３１Ａに挿入し、続いて、上端側係止部２０ｕが切欠孔２８に挿入するように構成されている。
【００９３】
つまり、前面パネル５を本体前面部２Ａに対して密着する状態に装着する状態に操作することを、被係止部挿通孔２７に挿入された下端側被係止部２１ｄを中心に、前面パネル５を本体前面部２Ａに近づけるように揺動させることによって行え、そして、本体前面部２Ａに対して密着する状態の前面パネル５を下方側にスライドさせることにより、被係止部２１を係止部２０に係止させること、端部側被係止部３２を本体側係止部３１に係止させること、及び、装着枠被係止部４１を装着枠係止部４０に係止させることを、一挙に行えるように構成されている。
【００９４】
（前面パネルの上方移動阻止構成）
図７に示すように、前面パネル５の下端側におけるコンロ横幅方向の複数箇所に、本体前面部２Ａの係合部４５（図６及び図１５参照）に対して上方への移動を阻止される状態で係合する被係合部４６が設けられている。
本実施形態においては、被係合部４６が左右一対設けられ、これらの被係合部４６に対応して、係合部４５が左右一対設けられている。
【００９５】
係合部４５は、図１３、図１５及び図１６に示すように、本体前面部２Ａの装着用開口９の下縁部からコンロ後方側に突出する舌片状に形成されている。
ちなみに、本実施形態においては、係合部４５は、後方側ほど下方に少し傾斜する姿勢に形成されて、下方側に移動する被係合部４６を後方側に押圧移動させるようになっている。
【００９６】
被係合部４６は、図１２及び図１３に示すように、適正係合姿勢から前後方向に弾性変形自在に形成されて、前面パネル５を本体前面部２Ａに密着させた状態で下方側にスライドさせて、上述の如く、被係止部２１を係止部２０に係止させる際に、係合部４５との接当により適正係合姿勢から前後方向に弾性変形しながら係合部４５に係合するように構成されている。
【００９７】
本実施形態においては、図１９、図２１及び図２２に示すように、被係合部４６が、操作部装着枠８の下端側部分に一体形成されている。
具体的には、被係合部４６は、図１３に示すように、操作部装着枠８の底壁部から下方に伸びる帯板状の突出片４６Ａと、その突出片４６Ａの下端部に形成した係合突起４６Ｂとから構成され、係合突起４６Ｂの先端側の下面が、上方側ほどコンロ前方側に位置する傾斜面状に形成されている。
【００９８】
したがって、前面パネル５には、本体前面部２Ａの係合部４５に対して上方への移動を阻止される状態で係合する被係合部４６が設けられているから、前面パネル５が、本体前面部２Ａに対して上方移動することが阻止されることになる。
【００９９】
すなわち、前面パネル５は、上述の如く、本体前面部２Ａに対して密着する状態の前面パネル５を下方側にスライドさせることにより、被係止部２１を係止部２０に係止させ、端部側被係止部３２を本体側係止部３１に係止させ、さらには、装着枠被係止部４１を装着枠係止部４０に係止させた状態で、本体前面部２Ａに装着されることになるが、このように装着された前面パネル５が本体前面部２Ａに対して上方へ移動することを、前面パネル５の被係合部４６が本体前面部２Ａの係合部４５に係合することによって阻止するように構成されている。
【０１００】
（前面パネルの上方付勢構成）
図４及び図１８に示すように、前面パネル５の上端部におけるコンロ横幅方向の複数箇所に、コンロ本体２の上部に装着される天板３に設けた操作部Ｈ（図１２参照）にて押圧操作されることによって、前面パネル５の上端部を上方に付勢する上方付勢部Ｑが設けられている。
天板３に設ける操作部Ｈは、天板３の周部から下方に屈曲する周縁部３Ｅにおける下端部にて構成されている（図１２参照）。
【０１０１】
上方付勢部Ｑが、操作部Ｈにて後方側に押圧操作される被操作部Ｑ１と、その被操作部Ｑ１よりも後方側でかつ下方側に位置し且つ後方側及び下方側の移動が本体前面部２Ａとの接当により規制された支点形成部Ｑ２とを備えて、操作部Ｈにて後方側に押圧操作された被操作部Ｑ１が支点形成部Ｑ２を中心として上方側へ移動することにより、前面パネル５の上端部を上方に付勢するように構成されている（図１４参照）。
【０１０２】
したがって、上方付勢部Ｑによって、被係合部４６が本体前面部２Ａの係合部４５に係合された前面パネル５を上方側に付勢することによって、前面パネル５の保形強度を上昇させて、前面パネル５が板厚の薄い材料にて形成されていても、前面パネル５のゆがみを抑制できるようになっている。
【０１０３】
（上方付勢部の構成）
上方付勢部Ｑについて説明を加えると、図４及び図１４に示すように、前面パネル５の上端縁から後方側に折り曲がる状態でパネル上辺部５ｕが設けられ、被操作部Ｑ１を形成するくの字状に屈曲した片部分４７及び支点形成部Ｑ２を形成する平板状の板状部分４８が、パネル上辺部５ｕから起立する姿勢となる状態で設けられている。
片部分４７及び板状部分４８は、前面パネル５の前面に対して、コンロ後方側に位置し、かつ、片部分４７よりも板状部分４８の方が、前面パネル５の前面に対してコンロ後方側に離れて位置するように形成されている。
【０１０４】
板状部分４８の横側に、この板状部分４８に連なる形態でパネル上辺部５ｕから起立しかつ板状部分４８よりも高さが低い隣接板状部分４８ａが設けられ、上述した上端側被係止部２１ｕの舌片２４が、隣接板状部分４８ａの上端からコンロ後方側に伸びる状態で設けられている。
【０１０５】
そして、被操作部Ｑ１が、片部分４７を主要部として構成されている。
また、支点形成部Ｑ２が、本体前面部２Ａとの接当により後方側の移動が規制された板状部分４８を主要部として構成されている。
ちなみに、板状部分４８は、上端側被係止部２１ｕを形成する舌片２４が上端側係止部２０ｕを形成する切欠孔２８の下縁部との接当により下方側の移動が規制されることによって、下方側への移動を規制されるものであり、本実施形態においては、上端側被係止部２１ｕを形成する舌片２４は、支点形成部Ｑ２の構成部材として機能することになる。
本実施形態においては、片部分４７及び板状部分４８が、コンロ横幅方向に沿って８つ設けられている。
【０１０６】
したがって、前面パネル５の被係合部４６を本体前面部２Ａの係合部４５に係合させた状態において、天板３を上方側から下方に向けて移動させる形態で装着して、天板３の操作部Ｈにて被操作部Ｑ１を後方側に押圧することによって、被操作部Ｑ１が支点形成部Ｑ２を中心に上方側に移動することにより、前面パネル５を上方側に付勢するように構成されている（図１４参照）。
ちなみに、本実施形態においては、被操作部Ｑ１が上方側に移動する中心は、パネル上辺部５ｕと板状部分４８とが接続する角部Ｋである。
【０１０７】
また、本実施形態においては、被操作部Ｑ１と天板３の操作部Ｈとの接触点が、パネル上辺部５ｕと板状部分４８とが接続する角部Ｋよりも上方側に位置するように構成されているから、被操作部Ｑ１が支点形成部Ｑ２を中心に上方側に移動する際に、被操作部Ｑ１がコンロ後方側に移動することになる。
このため、被操作部Ｑ１の上方側の移動により、前面パネル５を本体前面部２Ａの存在側に接近させる力が作用することになり、前面パネル５を、本体前面部２Ａの前方膨出部Ｂや、操作部装着枠８の前面側部分に密着させることができるものとなる。
【０１０８】
〔別実施形態〕
以下、別実施形態を列記する。
【０１０９】
（１）上記実施形態では、卓上型のガスコンロを例示したが、本発明は、システムキッチンのカウンタートップに組付けられるビルトイン型のガスコンロにも適用できるものである。
【０１１０】
（２）上記実施形態では、前方膨出部Ｂを平板状に形成する場合を例示したが、例えば、コンロ横幅方向や上下幅方向に伸びる線上の膨出部分を複数並設する形態で前方膨出部Ｂを構成する等、前方膨出部Ｂの具体構成は各種変更できる。
【０１１１】
（３）上記実施形態では、上方付勢部Ｑが、操作部Ｈにて後方側に押圧操作される被操作部Ｑ１及び支点形成部Ｑ２を備える形態に構成される場合を例示したが、上方付勢部Ｑの具体構成は種々の構成が適用できる。
例えば、上端側被係止部２１ｕにおける舌片２４の本体前面部２Ａからコンロ後方側に突出する部分を下方側に押圧する押圧部を、天板３の操作部Ｈとして設けて、舌片２４の本体前面部２Ａからコンロ後方側に突出する部分が下方側に押圧されることによって、舌片２４の本体前面部２Ａよりもコンロ前方側に位置する部分が上方側に移動することにより、前面パネル５を上方側に付勢するようにしてもよく、この場合、舌片２４を主要部として上方付勢部Ｑが構成されることになる。
【０１１２】
（４）上記実施形態では、前面パネル５の横幅方向の中央部分に形成する膨出部Ｆを、前方側に膨出させる状態で形成したが、後方側に膨出させる形態で実施してもよい。
【符号の説明】
【０１１３】
２      コンロ本体
２Ａ    本体前面部
３      天板
５      前面パネル
５ｓ    後方延出部
６      コンロ操作部
７      コンロ操作部用開口
８      操作部装着枠
２０    係止部
２１    被係止部
３１    本体側係止部
３２    端部側被係止部
４０    装着枠係止部
４１    装着枠被係止部
４５    係合部
４６    被係合部
Ｆ      膨出部
Ｈ      操作部
Ｑ      上方付勢部
Ｑ１    被操作部
Ｑ２    支点形成部
【図１】
2014240736.tif 000003
【図２】
2014240736.tif 000004
【図３】
2014240736.tif 000005
【図４】
2014240736.tif 000006
【図５】
2014240736.tif 000007
【図６】
2014240736.tif 000008
【図７】
2014240736.tif 000009
【図８】
2014240736.tif 000010
【図９】
2014240736.tif 000011
【図１０】
2014240736.tif 000012
【図１１】
2014240736.tif 000013
【図１２】
2014240736.tif 000014
【図１３】
2014240736.tif 000015
【図１４】
2014240736.tif 000016
【図１５】
2014240736.tif 000017
【図１６】
2014240736.tif 000018
【図１７】
2014240736.tif 000019
【図１８】
2014240736.tif 000020
【図１９】
2014240736.tif 000021
【図２０】
2014240736.tif 000022
【図２１】
2014240736.tif 000023
【図２２】
2014240736.tif 000024